(57)【要約】      （修正有）【課題】楕円状の便蓋及びホームベース状の便蓋に適合可能な便座蓋カバーの提供。【解決手段】便座蓋に取り付ける便座蓋カバー２で、外周が内側に曲げられてポケット部２３となっている基布２２と、縁どりされた外周縁２４を有し、外周縁２４は、少なくとも便座蓋カバー２の先端側に位置する第１部分２４１と、この第１部分２４１の左右端部に連続する第２部分２４２を有し、これら第１部分２４１及び第２部分２４２は異なる性質を有する弾性体を有し、好ましくは、外周縁２４が、第１部分２４１及び第２部分２４２のほかに、第２部分に連続する第３部分２４３を有し、第３部分２４３は弾性体を有しないものである。【選択図】図２
2018042907.tif 000002
【特許請求の範囲】
【請求項１】
便座蓋（１１）に取り付ける便座蓋カバー（２）であって、
外周の少なくとも一部が内側に曲げられてポケット部（２３）となっている基布（２２）と、縁取りされている外周縁（２４）を有し、
前記外周縁（２４）が、少なくとも前記便座蓋カバー（２）の先端側に位置する第１部分（２４１）と、この第１部分（２４１）の左右端部に連続する第２部分（２４２）を有し、
これら第１部分（２４１）及び第２部分（２４２）が異なる性質を有する弾性体（２５，２６）を有することを特徴とする便座蓋カバー（２）。
【請求項２】
前記便座蓋カバーを長手方向に直線距離で測定したとき、前記第１部分（２４１）は、先端から、全体長さの３０％〜４０％を占め、前記第２部分（２４２）は、全体長さの４０％〜５０％を占めるものである請求項１記載の便座蓋カバー（２）。
【請求項３】
前記外周縁（２４）が、前記第１部分（２４１）及び前記第２部分（２４２）のほかに、前記第２部分に連続する第３部分（２４３）を有し、前記第３部分（２４３）は弾性体を有しないものである請求項１又は２記載の便座蓋カバー。
【請求項４】
前記弾性体（２５，２６）としてゴム紐を使用し、前記第１部分（２４１）は伸び率が低いゴム糸を多数本配置してなるゴム紐を有し、前記第２部分（２４２）は伸び率がより高いゴム糸をより少ない本数配置してなるゴム紐を有する請求項１〜３のいずれかに記載の便座蓋カバー。
【請求項５】
便座蓋カバー（２）裏面の下方に、付着部材（２７）を設けるとともに、この付着部材（２７）の左右両端と直線状の蓋カバー後端部（２１）が交わる２個所において、縁取り部の中の基布（２２）が切り取られている請求項１〜４のいずれかに記載の便座蓋カバー。
【発明の詳細な説明】
【技術分野】
【０００１】
本発明は、洋式便器の便座蓋を装飾的に被覆する便座蓋カバーに関するものである。
【背景技術】
【０００２】
近年、汚れ付着を防止するとともに装飾性を高める目的で便座蓋にカバーを装着することが一般的に行われるようになってきた。
【０００３】
その際問題となるのは、取付対象である市販便器における便座蓋の形状である。現在大きく分けて、添付の図７に示すような楕円状のもの（以下、「旧タイプ」という）と、図８に示すようなホームベース状のもの（以下、「新タイプ」という）の２種類がある。（前者の例として、特開２００１-３２７４３６があり、後者の例として特開２０１４-２３０５８２がある。）
【０００４】
どちらか一方に合うように便座蓋カバーを製作すると他方にはうまく適合しないので、便座蓋カバーのメーカーとしては、結局、両方に対応できるように２種類を用意しなければならなかった。このことは、製造、保管、配送、販売等あらゆる面で無駄となり、非効率であった。
【先行技術文献】
【特許文献】
【０００５】
【特許文献１】特開２００１-３２７４３６
【特許文献２】特開２０１４-２３０５８２
【発明の概要】
【発明が解決しようとする課題】
【０００６】
本発明は、便座蓋カバーの形状および構造を工夫することにより、１種類で上記２種類の便座蓋の双方に適合可能となるような便座蓋カバーを提供することを目的とする。
【課題を解決するための手段】
【０００７】
上記課題を解決する本発明は、便座蓋に取り付ける便座蓋カバーであって、少なくとも一部が、外周が内側に曲げられてポケット部となっている基布と、縁取りされている外周縁とを有し、前記外周縁が、少なくとも便座蓋カバーの先端側に位置する第１部分と、この第１部分の左右端部に連続する第２部分を有し、これら第１部分及び第２部分が異なる性質を有する弾性体を有することを特徴とする（請求項１）。
【０００８】
好ましくは、便座蓋カバーを長手方向に直線距離で測定したとき、第１部分は、先端から、全体長さの３０％〜４０％を占め、第２部分は、全体長さの４０％〜５０％を占めるものである（請求項２）
【０００９】
好ましくは、前記外周縁が、前記第１部分及び第２部分のほかに、この第２部分に連続する第３部分を有し、この第３部分は弾性体を有しないものである（請求項３）。
【００１０】
好ましくは、前記弾性体としてゴム紐を使用し、前記第１部分は伸び率が低いゴム糸を多数本配置してなるゴム紐を有し、前記第２部分は伸び率がより高いゴム糸をより少ない本数配置してなるゴム紐を有するものである（請求項４）。
【００１１】
好ましくは、便座蓋カバー裏面の下方に、付着部材を設けるとともに、この付着部材の左右両端と直線状の蓋カバー後端部が交わる２個所において、縁取り部の中の基布が切り取られている（請求項５）。
【発明の効果】
【００１２】
本発明請求項１によれば、外周縁が、少なくとも便座蓋カバーの先端側に位置する第１部分と、この第１部分の左右端部に連続する第２部分を有し、これら第１部分及び第２部分において異なる性質を有する弾性体を有するので、新タイプの便座蓋にも旧タイプの便座蓋にも無理なく装着できるようになった。
【００１３】
本発明請求項３によれば、前記外周縁は弾性体を有しない第３部分を有するので、さらに装着性が向上する。
【００１４】
本発明請求項２、４によれば、装着に際してもっとも好ましい条件が得られる。
【００１５】
本発明請求項５によれば、切り取られた部分に始まる折り畳み線に沿って折り畳みやすくなっており、自然に旧タイプの便座蓋の輪郭に沿うことになる。
【図面の簡単な説明】
【００１６】
【図１】本発明実施例の便座蓋カバーを取り付けた状態の便器の斜視図である。
【図２】本発明実施例に係る便座蓋カバーの（ａ）正面図、（ｂ）背面図、（ｃ）平面図、（ｄ）底面図、（ｅ）右側面図である。
【図３】（ａ）は図２（ｄ）におけるＡ−Ａ端面図、（ｂ）は図２（ｄ）におけるＢ−Ｂ端面図、（ｃ）は図２（ｄ）におけるＣ−Ｃ端面図である。
【図４】図３（ａ）におけるＤ−Ｄ端面図である。
【図５】図３（ｂ）におけるＥ−Ｅ端面図である。
【図６】図３（ｃ）におけるＦ−Ｆ端面図である。
【図７】本発明実施例の便座蓋カバーを旧タイプの便座蓋に取り付けた状態の底面図である。
【図８】本発明実施例の便座蓋カバーを新タイプの便座蓋に取り付けた状態の底面図である。
【実施例１】
【００１７】
図１に示すように、本発明実施例１の便座蓋カバー２を便座蓋１１に取り付けた便器１は通常の外観を有し、全く違和感がない。この便座蓋１１は新タイプのものである。
【００１８】
この便座蓋カバー２の詳細を図２〜図６に示す。図２各図に示すように、便座蓋カバー２の全体の形状は旧タイプの便座蓋の外形に似ている。縦方向長さは４３ｃｍ、横方向には、中央部で最も横幅が広く（約３８ｃｍ）、後端部２１で狭くなっている（約２３ｃｍ）。後端部２１は便器後端１２（図１）に接する部分であり、直線状である。
【００１９】
便座蓋カバー２は、表面にパイル又はカットパイルが植設され、種々のデザインが色糸又はプリントで表現されている基布２２を有する。基布２２の裏面はパイル糸基部が露出しているが外部からは見えないので、そのままにしてある。必要があれば裏生地（図示せず）により被覆することもできる。
【００２０】
この便座蓋カバー２の構造上の特徴は図２（ｄ）にもっともよく表れている。基布２２の外周は後端直線部２１を除き、ほぼ全周にわたって内側に曲げられてポケット部２３を形成しており、外周縁部は縁取りされている。
【００２１】
この縁取り部分は、図２（ｄ）において、長手方向に直線距離で測定したとき、先端から約１４ｃｍを占める第１部分２４１、続く２０ｃｍを占める第２部分２４２、最後の１１ｃｍを占める第３部分２４３に区分可能である。第１部分２４１は伸び率が低いゴム糸を多数本配置してなるゴム紐２５で縁取りされている。第２部分２４２は伸縮性のないテープ生地が縁取り部２４を形成しており、その中に、伸び率がより高いゴム糸をより少ない本数配置してなるゴム紐２６が糸２６１で取り付けられている。第３部分２４３の縁取り部２４内にはゴム糸を配置していない。
【００２２】
ある実施例では、配置したゴム糸は次の通りであった。
（１）第１部分２４１
使用ゴム糸           ♯３０  エステル中折れゴム１８本
無負荷時長さ         ３２ｃｍ
伸び率              約２倍
（２）第２部分２４２（左右それぞれにつき）
使用ゴム糸           ♯５２  ６コールラテックスゴム
無負荷時長さ         約１１ｃｍ
伸び率               約２．７倍    
【００２３】
図２（ｄ）に示すように、便座蓋カバー２裏面の下方に、付着部材２７が設けられている。付着部材２７は、便座蓋１１の表面に密着させるためのもので、本出願人の別発明の主題となっているものである（特開２０１４-２３０５８２）。詳細は同公開公報を参照していただくとして、概略すると、付着部材２７は、下から剥離シート、粘着剤層、不織布層（それぞれ図示せず）から構成されている。剥離シートは販売時点では粘着剤層の表面を覆ってあり、使用に際してこれを除去する。粘着剤層としては例えばアクリル樹脂を使用することができる。粘着剤層と不織布層の両方または片方は、蓋カバー本体裏面の色と調和するように着色することができる。
【００２４】
付着部材２７はほぼ長方形で前方から３本の細溝２８が形成され、後端に２個の幅広のスリット２９が形成されている。細溝先端２８１は角を取って丸めてあるが、これは切り込みが不用意に伸びることを防止するためである。付着部材２７と便座蓋カバー２の固定は、付着部材２７の後端でスリット２９のない３カ所で糸により縫製されるとともに、付着部材２７の前方の細溝２８同士の間及び両脇の６カ所で糸による縫製又はホットメルト３０による熱溶着により行われている。
【００２５】
不織布層と便座蓋カバー２は付着しないので、付着部材２７と便座蓋カバー２本体の間には縫製又はホットメルトによる接着部を除き空間がある。したがって、付着部材２７は大部分が便座蓋カバー本体から浮いた状態にある。
【００２６】
この便座蓋カバー２を便座蓋１１に取り付けるには、便座蓋カバー２のポケット部２３を便座蓋１１先端にひっかけて、さらに（剥離シートを外して）粘着剤層を便座蓋の表面に押し付けるだけでよい。便座蓋カバー２を外すときには、その逆の手順による。
【００２７】
図７はこの便座蓋カバー２を旧タイプの便座蓋１１１に取り付けた状態の底面図である。第２部分２４２のゴム紐２６がほどよく両脇を締めるので楕円状の便座蓋１１１にうまく適合することができる。
【００２８】
特に、旧タイプの便座蓋１１１との間の隙間を少なくするため、図２（ｄ）に示すように、付着部材２７の左右両端と後端直線部２１が交わる２個所で、縁取り部の中の基布２２が三角形状に切り取られている。切り取り部３１の大きさは、三角形の底辺にあたる長さが２ｃｍ、高さが０．８ｃｍである。２個所の切り取り部３１の間隔（すなわち付着部材の底辺部の長さ）は２２．５ｃｍである。この切り取り部３１の生地が欠けているため、ここから始まる折り畳み線３２に沿って折り畳みやすくなっており、自然に旧タイプの便座蓋１１１の輪郭に沿うことになる（図７参照）。
【００２９】
図８はこの便座蓋カバー２を新タイプの便座蓋１１２に取り付けた状態の底面図である。第３部分２４３にゴム紐がないので、後部が十分に広がり、ホームベース状の便座蓋１１２にもうまく適合することができる。前記の切り取り部３１に始まる折り畳み線３２はこのタイプの便座蓋では全く機能しないので存在しないも同然であり、美観を損ねることはない。
【符号の説明】
【００３０】
１     便器
１１   便座蓋
１１１  旧タイプの便座蓋
１１２  新タイプの便座蓋
１２   便器後端
２     便座蓋カバー
２１   後端部
２２   基布
２３   ポケット部
２４   外周縁（縁取り部）
２４１ 第１部分
２４２ 第２部分
２４３ 第３部分
２５   ゴム紐
２６   ゴム紐
２７   付着部材
２８   細溝
２８１ 細溝先端
２９  スリット
３１  切り取り部
３２  折り畳み線
【図１】
2018042907.tif 000003
【図２】
2018042907.tif 000004
【図３】
2018042907.tif 000005
【図４】
2018042907.tif 000006
【図５】
2018042907.tif 000007
【図６】
2018042907.tif 000008
【図７】
2018042907.tif 000009
【図８】
2018042907.tif 000010